(57)【要約】【課題】地震発生時、特に就寝中に地震が起きた場合、自動的に緊急避難スペースに入り、怪我や圧死する可能性を低減することができるベッドを提供する。【解決手段】ベッド底面１を、片側支点の下方への開閉式とし、ベッド底面１は、ベッド下部片面を覆っている側板２にヒンジ７を介して直角に取り付けられている支え棒４とで支持されている。この側板２と、ベッド足部をピン３で連結することにより支え棒４はベッド底面１の支持が可能となる。地震発生時、ベッドに具備されている振動センサー５が振れを感知し、支え棒４をとめているピン３を抜き、ベッド底板１が開き、人は傾斜したベッド底板１を滑りおりていく。その底板１が開く時、支え棒４を押し下げることにより、直角に取り付けられている側面が押し上げられて上面保護板となる。そこへ前述の人が滑りこんできて、一時的な避難スペースに自動的に入り込むことにより、震災から保護される。【選択図】  図２
2006314417.tif 000002
【特許請求の範囲】
【請求項１】
地震等急激な揺れが発生した時、片側ヒンジ（６）と支え棒（４）で支持されているベッド底板（１）が、ベッド下部片面を覆っている側板（２）とヒンジ（７）を介して直角に取り付けられている支え棒（４）を固定する為ベッド足部と側板（２）を連結しているピン（３）を抜く事により、支え棒（４）がベッド底板（１）を支持できなくなり、ヒンジ（６）を支点として瞬時に下側に開き、その傾斜した底板（１）をスロープとしてベッド上の人をベッド下へ移動させる地震避難ベッド。
【請求項２】
振動を検出するセンサー（５）を具端し、このセンサー（５）が働いた時連動して支え棒（４）を固定していたピン（３）が強制的に抜かれる事により、ベッド底板（１）が人及び底板（１）の重さで底板（１）を支持していたヒンジ（６）を支点として下側に開き、この押し力で支え棒（４）が下側に押し下げられ、支え棒（４）と側板（２）を連結しているヒンジ（７）を支点にして側板（２）が押し上げられ、その側板（２）が上面保護板となり、そこへベッド上から移動してきた人が避難する事ができる請求項１記載の地震避難ベッド。
【発明の詳細な説明】
【技術分野】
【０００１】
本発明は、地震発生時、特に就寝中に地震が起きた場合の緊急避難スペースを自動的に確保する技術に関する。
【背景技術】
【０００２】
従来より巨大地震発生時、家屋内について家具及び建物の倒壊による怪我や圧死から身を守る為、様々な考案がなされてきました。
【０００３】
家具の倒れ防止具として、家具に壁とを紐で結ぶ方法や、家具の下面と床の間に物をはさむ方法等、色々考えられているが、これらの方法は地震の揺れが小規模の時には効果があるとおもわれるが巨大地震等許容限界をこえた揺れの時は、やはり家具による怪我や圧死はさけられない。
【０００４】
家屋の倒壊対策として、補強による耐震構造の強化、家屋が揺れる事による減哀効果等多々考えられているが、先の阪神大震災や中越地震等のような巨大地震発生の時は、耐えられる限界を超えており、家屋の倒壊はさけられないとおもわれる。
【０００５】
そこで、家屋や家具の倒壊が不可避となれば、倒壊時の避難スペースをどうするかという問題が出てくるが、これに対しでも様々な考えがなされている、例えばテーブルを補強構造にしてその下へ逃げこむとか、強固な避難エリアを設けており、そこへ逃げこむとかという具合である。
【０００６】
これらの考え方には、人が逃げこめるの動きが可能という考えのもとに考えされており、巨大地震のような場合は、立っていられる状態でなく、まして移動などできる状態ではない、特に就寝中はなおさらの感が強い。
【０００７】
ここでベッドを避難スペースにするという考えがなりたってくる、例えばベッド自体を囲んでしまって防護シェルターとしてしまうという発想や、地震発生時ベッド上部に屋根がせり出してきて防護空間を形作るもの等の考え方が見られるが、この発想は大掛かりとなり、狭い家屋内では設置は容易でなく、又費用も大となり一般の費用には供し難い。
【０００８】
次に、ベッド下面を利用するという発想にたどりつくが、そうすると自然にベッド降下式という考え方が出てくる。例えば底板にロックピンをとめていて、そのピンがはずれる事により底板がベッド下部へ落下するという考え等である（例えば、特許文献１、特許文献２参照。）
【０００９】
このやり方は、ベッド底板を保持、又セットする為にクランクレバー、支持ロットを介してブレーキモーターにつなぐとか、ジャッキを利用するとか、非常に大掛かりで費用も安くない。そしてベッド底板が真返じ落下する為、上面保護として別な機構も必要となってくる。
【００１０】
【特許文献１】特開平０８−２６６３７３
【特許文献２】特開平０９−３７８９７
【発明の開示】
【発明が解決しようとする課題】
【００１１】
以上に述べた様に、従来のやり方ではベッド下部を利用するという発想にいたっても、大掛かり、複雑、費用も安くないものとなっている。
【００１２】
本発明は、このような従来の構成が有していた諸問題を解決しようとするものであり、地震発生と同時に瞬時にベッド下へ移動せしめ、同時に上面保護もできる、なお安価でシンプルな機構を持つ装置を提供することを目的とするものである。
【課題を解決するための手段】
【００１３】
地震等急激な揺れが発生した時、片側ヒンジ６と支え棒４で支持されているベッド底板１が、支え棒を固定しているピン３を抜く事により、支え棒４がベッド底板１を支持できなくなり、ヒンジ６を支点として瞬時に下側に開き、その傾斜した底板１をスロープとしてベッド上の人をベッド下へ移動させる。
【００１４】
この支え棒４は、ベッド下部片面を覆っている側板２とヒンジ７を介して直角に取り付けられている。
【００１５】
この側板２とベッド足が、ピン３にて連結されることにより、結果として支え棒４が固定され、ベッド底板１が支持可能となる。
【００１６】
このピン３は、振動センサー５と連動されており、センサー５が働いた時、側板２とベッド足との連結を強制的に引き抜く。
【００１７】
このピン３の連結がはずれることにより、ベッド底板１が人及び底板１の重さで、底板１を支持していたヒンジ６を支点にして下側に開き、この押し力で支え棒４が下側に押し下げられる。
【００１８】
支え棒４が押し下げられる事により、直角に取り付けられている側板２がヒンジ７を支点にして押しあげられ、その側板２がベッドから滑り下りてきた人の上面保護板となり、一時的な安全スペースを形成する。
【発明の効果】
【００１９】
以上のように、本発明は地震発生時、ベッド上にいる人を、ベッド底板１を片側支点として下側へ開くことにより、すべり台状態をつくりだし、ひとりでにベッド下部へすべりながら避難させることができる。
【００２０】
同時に、ベッド側板２が押し上げられ、そこへ前述の人が入り込むことにより、側板２によって上面保護された一時的避難スペースが完成する。
【発明を実施するための最良の形態】
【００２１】
以下、本発明の実施の形態を図１〜図５に基づいて説明する。
【００２２】
図１は本発明の基本構成をなす骨組み図であり、実際に人がベッドに寝ていて地震発生した時の作用図が図２の(a)と（b）である。
【００２３】
図２の(a)のようにベッド上に寝ていた人が、地震発生して、本装置が作動してベッド下部の避難スペースへ移動したのが、図２の（b）である。
【００２４】
図３は、本発明の構成をなす地震避難ベッドのベッド底板開放前の状態斜視図である。
【００２５】
ベッド下部に取り付けられた振動センサー５が振れを検知する。
【００２６】
振動センサー５の検知により、モーター８が駆動し、連結されているプーリー９が回転する。
【００２７】
プーリー９に繋がれているロープが巻き取られ、ロープの反対に繋がれているピン３を引き抜く。
【００２８】
ピン３が抜けることにより、側板２との連結がはずれ、直角に取り付けられている支え棒４がベッド底板１を支持できなくなる。
【００２９】
ベッド底板１が、自重及び人の重さでヒンジ６を支点に下方へ開く。
【００３０】
この時、ベッド底板１とベッド本体フレームに取り付けられている近接スイッチ１０と鉄片１１が離れ、モーター８と連動している接点が離れてモーター８の回転止まる。
【００３１】
支え棒４が、ベッド底板１に押されて下方へ下げられると、直角に取り付けられている側板２がヒンジ７を支点にして上方へ押し上げられる。
【００３２】
この時、押し下げられた支え棒４は、ベッド底板１の前端面に落ち込み、元に戻らない長さに設定されている。
【００３３】
ベッド底板１の上に寝ていた人は、傾斜したベッド底板１をスロープにして、床と押し上げられた側板２の間のスペースにすべりこむ、もしくは転がりこむ。
【００３４】
ここで、ベッド底板の材質を述べておく、滑りやすくするには底面がかため（例えば畳）の方がよく、軽がり込むなら底面が柔らかめ（例えばマットレス）のもので構成するのがよいであろう。
【００３５】
又、ベッド本体の材質は木でも、鉄でも、プラスチック樹脂でもよい。
【００３６】
強烈な地震で、停電によるモーターの作動ができないことも考えられるが、本発明はピンが抜けるほんの数秒の動作でよいので、揺れによる電線の断線時間より早く装置は作動する。
【００３７】
図４は、ピン３を抜く方法の他のやり方を示したものである。
【００３８】
図４（a）は、ベッド足部と側板２を、圧縮バネ１３をいれて、ピン３で連結し、バネ力による抜け防止として、ロックピン１２を差し込んだ構成をなした側面図と正面図である。
【００３９】
図４（b）は、ロックピン１２が引き抜かれることにより、ピン３がバネ力で抜けて、ベッド足部と側板２の連結がはずれ、側板２がハネ上がった状態の側面図と正面図である。
【００４０】
図５は、ピン３によるベッド足部と側板２の連結をやめ、ヒンジ１５で支持された止め板１４で側板２のハネ上がりを防止する方法である。
【００４１】
図５（a）は、側板２を止め板１４でとめ、ハネ上がりを防止した状態図であり、図５（b）は、止め板１４をボタンで引っ張ってロックをはずし、側板２がハネ上がった状態図である。
【産業上の利用可能性】
【００４２】
本発明は、人の地震による震災に対する考案であるが、別に人に限らず、地震によってつぶれたり、破損して困るようなものを、本装置上に置いておけば、倒壊等による破損から保護する装置としても、充分転用可能なものとなりえる。
【図面の簡単な説明】
【００４３】
【図１】本発明の基本構成斜視図
【図２】本発明の実施状態図で（a）は通常使用状態（b）は地震発生時の装置作動状態
【図３】本発明の構成をなす地震避難ベッド斜視図
【図４】本発明のピン３を抜く他のやり方で（a）は通常使用状態（側面図と正面図）、（b）はピン３を抜いた状態（側面図と正面図）
【図５】本発明の側板ハネ上がり防止の他のやり方で（a）は止め板による側板ハネ上がり防止状態、（b）は止め板がはずれて側板がハネ上がった状態
【符号の説明】
【００４４】
１    ベッド底板
２    側板
３    ピン
４    支え棒
５    振動センサー
６    ヒンジ
７    ヒンジ
８    モーター
９    プーリー
１０  近接スイッチ
１１  鉄片
１２  ロックピン
１３  バネ
１４  止め板
１５  ヒンジ
【図１】
2006314417.tif 000003
【図２】
2006314417.tif 000004
【図３】
2006314417.tif 000005
【図４】
2006314417.tif 000006
【図５】
2006314417.tif 000007
【手続補正書】
【提出日】平成17年5月23日(2005.5.23)
【手続補正１】
【補正対象書類名】特許請求の範囲
【補正対象項目名】請求項２
【補正方法】変更
【補正の内容】
【請求項２】
振動を検出するセンサー（５）を具備し、このセンサー（５）が働いた時連動して支え棒（４）を固定していたピン（３）が強制的に抜かれる事により、ベッド底板（１）が人及び底板（１）の重さで底板（１）を支持していたヒンジ（６）を支点として下側に開き、この押し力で支え棒（４）が下側に押し下げられ、支え棒（４）と側板（２）を連結しているヒンジ（７）を支点にして側板（２）が押し上げられ、その側板（２）が上面保護板となり、そこへベッド上から移動してきた人が避難する事ができる請求項１記載の地震避難ベッド。
【手続補正２】
【補正対象書類名】明細書
【補正対象項目名】０００２
【補正方法】変更
【補正の内容】
【０００２】
従来より巨大地震発生時、家屋内にいて家具及び建物の倒壊による怪我や圧死から身を守る為、様々な考案がなされてきました。
【手続補正３】
【補正対象書類名】明細書
【補正対象項目名】０００４
【補正方法】変更
【補正の内容】
【０００４】
家屋の倒壊対策として、補強による耐震構造の強化、家屋が揺れる事による減衰効果等多々考えられているが、先の阪神大震災や中越地震等のような巨大地震発生の時は、耐えられる限界を超えており、家屋の倒壊はさけられないと思われる。
【手続補正４】
【補正対象書類名】明細書
【補正対象項目名】０００５
【補正方法】変更
【補正の内容】
【０００５】
そこで、家屋や家具の倒壊が不可避となれば、倒壊時の避難スペースをどうするかという問題がでてくるが、これに対しても様々な考えがなされている、例えばテーブルを補強構造にしてその下へ逃げこむとか、強固な避難エリアを設けており、そこへ逃げこむとかという具合である
【手続補正５】
【補正対象書類名】明細書
【補正対象項目名】０００６
【補正方法】変更
【補正の内容】
【０００６】
これらの考え方には、人が逃げこめるだけの動きが可能という考えのもとに考案されており、巨大地震のような場合は、立っていられる状態でなく、まして移動などできる状態ではない、特に就寝中はなおさらの感が強い。
【手続補正６】
【補正対象書類名】明細書
【補正対象項目名】０００９
【補正方法】変更
【補正の内容】
【０００９】
このやり方は、ベッド底板を保持、又セットする為にクランクレバー、支持ロッドを介してブレーキモーターにつなぐとか、ジャッキを利用するとか、非常に大掛かりで費用も安くない。そしてベッド底板が真直ぐ落下する為、上面保護として別な機構も必要となってくる。
【手続補正７】
【補正対象書類名】明細書
【補正対象項目名】００１２
【補正方法】変更
【補正の内容】
【００１２】
本発明は、このような従来の構成が有していた諸問題を解決しようとするものであり、地震発生と同時に瞬時にベッド下へ移動せしめ、同時に上面保護もできる、なお且つ安価でシンプルな機構を持つ装置を提供することを目的とするものである。
【手続補正８】
【補正対象書類名】明細書
【補正対象項目名】００３０
【補正方法】変更
【補正の内容】
【００３０】
この時、ベッド底板１とベッド本体フレームに取り付けられている近接スイッチ１０と鉄片１１が離れ、モーター８と連動している接点が離れてモーター８の回転が止まる。
【手続補正９】
【補正対象書類名】明細書
【補正対象項目名】００４１
【補正方法】変更
【補正の内容】
【００４１】
図５（a）は、側板２を止め板１４でとめ、ハネ上がりを防止した状態図であり、図５（b）は、止め板１４を紐で引っ張ってロックをはずし、側板２がハネ上がった状態図である。